(57)【要約】【課題】      無線識別システムの識別コード送信機が無線識別システムとの通信可能領域内にあって正常に作動しない場合は、識別コード送信機内のマイクロコンピュータのリセットが自動的に行われて無線識別システムとの通信動作が確実に行われる無線識別システムの識別コード送信機および該識別コード送信機を備えた無線識別システムを提供する。【解決手段】  無線識別システムから送信された電源信号に基づき電源が投入されるとともに、電源投入後トリガ信号を出力し、その後にあらかじめ記録された識別コードを無線送信するマイコン１６０と、電源信号に基づきマイコン１６０のリセット信号を発生し、マイコン１６０からトリガ信号を受け取った場合はマイコン１６０にリセット信号を出力せず、マイコン１６０からトリガ信号を受け取らない場合はマイコン１６０にリセット信号を出力してマイコン１６０をリセットするリセット信号発生部１４２とを備える。【選択図】      図１
2007034802.tif 000002
【特許請求の範囲】
【請求項１】
無線識別システムから送信された電源信号を受信する受信アンテナと、
前記受信アンテナで受信した前記電源信号に基づき所定の電圧を出力する駆動部と、
前記無線識別システムの識別コードを記録する一方、前記駆動部が出力する前記所定の電圧が印加されたときに電源投入されるとともに、電源投入後所定時間経過した際にトリガ信号を出力し、該トリガ信号出力後前記識別コードを出力するマイクロコンピュータと、
前記電源信号に基づいて前記マイクロコンピュータをリセットするリセット信号を発生し、前記マイクロコンピュータから前記トリガ信号を受け取った場合は前記マイクロコンピュータに前記リセット信号を出力せず、前記マイクロコンピュータから前記トリガ信号を受け取らない場合は前記マイクロコンピュータに前記リセット信号を出力して前記マイクロコンピュータをリセットするリセット信号発生部と、
前記マイクロコンピュータが出力した前記識別コードを無線信号に変調して出力するデータ送信部と、
前記データ送信部が出力する無線信号を前記無線識別システムに送信する送信アンテナとを備えることを特徴とする無線識別システムの識別コード送信機。
【請求項２】
前記電源信号が所定のパルス信号を変調した電源投入信号であり、前記駆動部は、前記所定の電圧を出力する電池と、前記電源投入信号を復調して前記パルス信号を出力するデータ受信部と、前記データ受信部から出力される前記パルス信号を受け取った際に前記電池と前記マイクロコンピュータとを電気的に接続して前記マイクロコンピュータに前記電池が出力する前記所定の電圧を印加する電源投入部とを備えることを特徴とする請求項１に記載の無線識別システムの識別コード送信機。
【請求項３】
前記電源信号が電磁波信号であり、前記駆動部は、前記電磁波信号により前記受信アンテナで発生した誘導起電力を取り込んで前記マイクロコンピュータに前記所定の電圧を印加する電圧出力部と、前記マイクロコンピュータの電源投入時に該マイクロコンピュータをリセットするパワーオンリセット信号を前記電源信号に基づいて出力するパワーオンリセット信号発生部とを備えることを特徴とする請求項１に記載の無線識別システムの識別コード送信機。
【請求項４】
前記リセット信号発生部は、異なる時定数を有する２つのＣＲ時定数回路を備え、該２つのＣＲ時定数回路に前記データ受信部の出力する前記パルス信号を取り込んで出力した２つの出力信号の論理積により前記リセット信号を発生することを特徴とする請求項１または２に記載の無線識別システムの識別コード送信機。
【請求項５】
前記リセット信号発生部は、前記電源投入信号の搬送波の脈波をカウントするカウンタ回路を備え、該カウンタ回路に前記電源投入信号を取り込んでカウントした前記脈波の数が所定の数となった場合に前記リセット信号を発生することを特徴とする請求項１または２に記載の無線識別システムの識別コード送信機。
【請求項６】
前記リセット信号発生部は、異なる時定数を有する２つのＣＲ時定数回路を備え、該２つのＣＲ時定数回路に前記パワーオンリセット信号発生部の出力する前記パワーオンリセット信号を取り込んで出力した２つの出力信号の論理積により前記リセット信号を発生することを特徴とする請求項１または３に記載の無線識別システムの識別コード送信機。
【請求項７】
前記リセット信号発生部は、前記マイクロコンピュータが前記トリガ信号の出力を終了するまでは前記リセット信号を繰り返し出力する一方、前記マイクロコンピュータが前記トリガ信号の出力を終了した後は前記リセット信号の出力を停止することを特徴とする請求項１から６のいずれか１項に記載の無線識別システムの識別コード送信機。
【請求項８】
前記リセット信号発生部は、異なる時定数を有する２つのＣＲ時定数回路を備え、該２つのＣＲ時定数回路に前記データ受信部の出力する前記パルス信号を取り込んで出力した２つの出力信号の論理積により前記リセット信号を発生し、前記マイクロコンピュータが前記トリガ信号の出力を終了するまでは、前記リセット信号出力後に前記２つのＣＲ時定数回路をクリアし前記リセット信号を繰り返し発生する一方、前記マイクロコンピュータが前記トリガ信号の出力を終了した後は前記リセット信号出力後に前記２つのＣＲ時定数回路をクリアせず前記リセット信号の発生を停止することを特徴とする請求項１または２に記載の無線識別システムの識別コード送信機。
【請求項９】
前記リセット信号発生部は、前記電源投入信号の搬送波の脈波をカウントするカウンタ回路を備え、該カウンタ回路に前記電源信号を取り込んでカウントした前記脈波の数が所定の数となった場合に前記リセット信号を発生し、前記マイクロコンピュータが前記トリガ信号の出力を終了するまでは、前記リセット信号出力後に前記カウンタ回路をクリアし前記リセット信号を繰り返し発生する一方、前記マイクロコンピュータが前記トリガ信号の出力を終了した後は前記リセット信号出力後に前記カウンタ回路をクリアせず前記リセット信号の発生を停止することを特徴とする請求項１または２に記載の無線識別システムの識別コード送信機。
【請求項１０】
前記リセット信号発生部は、異なる時定数を有する２つのＣＲ時定数回路を備え、該２つのＣＲ時定数回路に前記パワーオンリセット信号発生部の出力する前記パワーオンリセット信号を取り込んで出力した２つの出力信号の論理積により前記リセット信号を発生し、前記マイクロコンピュータが前記トリガ信号の出力を終了するまでは、前記リセット信号出力後に前記２つのＣＲ時定数回路をクリアし前記リセット信号を繰り返し発生する一方、前記マイクロコンピュータが前記トリガ信号の出力を終了した後は前記リセット信号出力後に前記２つのＣＲ時定数回路をクリアせず前記リセット信号の発生を停止することを特徴とする請求項１または３に記載の無線識別システムの識別コード送信機。
【請求項１１】
請求項１から１０に記載の無線識別システムの識別コード送信機を備え、該識別コード送信機に前記電源信号を送信するとともに該電源信号により作動を開始した前記識別コード送信機から前記識別コードを受信し、受信した前記識別コードに基づいて所定の動作を行う制御装置を備えることを特徴とする無線識別システム。
【請求項１２】
前記所定の動作が、レーススポーツ競技における計時動作であることを特徴とする請求項１１に記載の無線識別システム。
【請求項１３】
前記所定の動作が、入退管理システムにおける建物の自動扉の開閉動作であることを特徴とする請求項１１に記載の無線識別システム。
【請求項１４】
前記所定の動作が、駅の自動改札機における自動扉の開閉動作であることを特徴とする請求項１１に記載の無線識別システム。
【発明の詳細な説明】
【技術分野】
【０００１】
本発明は、自動リセット機能を備えた無線識別システムの識別コード送信機および自動リセット機能を備えた無線識別システムの識別コード送信機を備えた無線識別システムに関するものである。
【背景技術】
【０００２】
近年、競技時間を競うマラソン等のレーススポーツ競技において、計時作業を正確に行うために、無線識別システムの識別コード送信機、いわゆる非接触ＩＣカードを用いた計時システムが普及してきている。このような計時システムにおいては、選手を識別するための識別コードが登録された非接触ＩＣカードが選手のウエアのいわゆるゼッケン内側等に貼り付けられている。また走路を横断する緩衝シート内側にデータ送受信用のアンテナが設置され、さらに予備受信アンテナとしてダイポールアンテナが走路両端に設置されて、非接触ＩＣカードとの通信距離が１〜２ｍ程度確保されている。非接触ＩＣカードは、マイコンを備えた内部回路を駆動するための電源電池を内蔵しており、アンテナのカバーする通信領域内を選手が通過した際にシステム側から送信された電源投入信号によりマイコンの電源が投入されて識別コードを送信し、この識別コードがシステムに読み込まれて、競技開催場所での時刻と合わせて記録が集計される（特許文献１）。このようなスポーツ競技における計時システムでは、計測ミスが許されないため、非接触ＩＣカードが動作しなかった場合の備えとして、選手に２つの非接触ＩＣカードを装着することが多い。
【０００３】
また、秘匿管理が必要な建物内への入退管理用としても、非接触ＩＣカードが普及してきている。例えば、あらかじめ所定の識別コードが記録された非接触ＩＣカードを保有している者が建物側に設置されたシステム端末付近を通過した際、またはシステム端末に非接触ＩＣカードを近づけた際に、非接触ＩＣカードとシステム端末との間でデータの送受信が行われ、非接触ＩＣカードに記録された識別コードとシステム側に事前登録された識別コードとが一致した場合にのみドアを開けて、建物内への入退管理を行っている。このような非接触ＩＣカードは長い年月継続的に使われることが多いため、非接触ＩＣカードの電力は、電磁誘導や電磁結合、電波等を用いて外部から供給されることが多い。
【０００４】
ここで、外部から電力の供給を行う際に、非接触ＩＣカードとシステム端末との通信距離が離れている場合は大電力で安定した電力を供給することが難しいため、電源投入後に電力が不安定になった場合に、非接触ＩＣカード内のマイクロコンピュータをリセットしてマイクロコンピュータの動作を安定させる非接触ＩＣカードが提案されている（特許文献２）。また、電源にノイズが現れて電力が不安定になった場合にマイクロコンピュータをリセットして動作を安定させる非接触ＩＣカードが提案されている（特許文献３）。
【特許文献１】特開２００４−５７８０５公報
【特許文献２】特開２００３−４４１７６公報
【特許文献３】特開２００４−３２６４１５公報
【発明の開示】
【発明が解決しようとする課題】
【０００５】
しかしながら、レーススポーツ競技での計時システムにおいては、選手はより良い結果を得るために身に着けるものを極力少なくして軽量化を図っているため、非接触ＩＣカードを２枚装着することは好まれない。また非接触ＩＣカードを選手１人が２枚装着すると、無線識別システムが処理する無線信号も２倍となってシステムが複雑になるため、実用的ではない。
【０００６】
この対策として、システムとの通信可能領域内に非接触ＩＣカードが入った際に、非接触ＩＣカードが内蔵するマイクロコンピュータをリセットして、非接触ＩＣカードの動作を確実にする方法が考えられる。しかしながらこの方法では、システムとの通信可能領域内に非接触ＩＣカードが入ってから実際にマイクロコンピュータが作動するまでに時間差が生じる。この状態で非接触ＩＣカードがまだ正常に作動しない場合は、さらに何らかの方法でマイクロコンピュータをリセットして非接触ＩＣカードを正常に作動させる必要があり、システムとの通信可能領域内に非接触ＩＣカードが入ってから実際にマイクロコンピュータが作動するまでの時間差がさらに増大する。
【０００７】
一方、地点通過時刻やゴール時刻等は、非接触ＩＣカードが通信可能領域内に入った時刻と通信可能領域外に出た時刻に基づいて算出されるため、上記時間差が増大すると場合によっては計時が行われずに地点通過時刻やゴール時刻等が算出されないという問題が発生する可能性がある。
【０００８】
このため、通信可能領域内でのマイクロコンピュータのリセット回数は最小限に留める必要があり、システムとの通信可能領域内に非接触ＩＣカードが入る度に非接触ＩＣカードが内蔵するマイクロコンピュータをリセットする機能を基本機能として備えることは望ましくない。
【０００９】
一方、入退管理システムにおいては、一時的な周囲の電磁環境変化や静電気の放電ノイズ、非接触ＩＣカードに加わった機械的応力、温度等の影響により非接触ＩＣカードの電源投入後に非接触ＩＣカード内のマイクロコンピュータが動作を開始しないという状況が発生する可能性がある。このような場合は、非接触ＩＣカードを一旦システム端末から遠ざけた後に再度システム端末に近づけて電源を投入し直し、非接触ＩＣカード内のマイクロコンピュータをリセットする必要があり、カードの保有者に余分な動作を要求して利便性を損なうという問題がある。また、非接触ＩＣカードの携帯性を考慮すると非接触ＩＣカード本体にマイクロコンピュータのリセット用のリセットスイッチを設けることは実用的ではない。
【００１０】
本発明の課題は、無線識別システムの識別コード送信機が無線識別システムとの通信可能領域内にあって正常に作動しない場合は、識別コード送信機内のマイクロコンピュータのリセットが自動的に行われて無線識別システムとの通信が確実に行われる無線識別システムの識別コード送信機および該識別コード送信機を備えた無線識別システムを提供することにある。
【課題を解決するための手段】
【００１１】
上記課題を解決するために、請求項１に記載の発明は、無線識別システムから送信された電源信号を受信する受信アンテナと、前記受信アンテナで受信した前記電源信号に基づき所定の電圧を出力する駆動部と、前記無線識別システムの識別コードを記録する一方、前記駆動部が出力する前記所定の電圧が印加されたときに電源投入されるとともに、電源投入後所定時間経過した際にトリガ信号を出力し、該トリガ信号出力後前記識別コードを出力するマイクロコンピュータと、前記電源信号に基づいて前記マイクロコンピュータをリセットするリセット信号を発生し、前記マイクロコンピュータから前記トリガ信号を受け取った場合は前記マイクロコンピュータに前記リセット信号を出力せず、前記マイクロコンピュータから前記トリガ信号を受け取らない場合は前記マイクロコンピュータに前記リセット信号を出力して前記マイクロコンピュータをリセットするリセット信号発生部と、前記マイクロコンピュータが出力した前記識別コードを無線信号に変調して出力するデータ送信部と、前記データ送信部が出力する無線信号を前記無線識別システムに送信する送信アンテナとを備えることを特徴としている。
【００１２】
上記構成によれば、無線識別システムから送信された電源信号によりマイクロコンピュータが作動して無線識別コードを送信する一方、マイクロコンピュータが作動しない場合はリセット信号発生部がリセット信号を出力してマイクロコンピュータをリセットし、マイクロコンピュータを確実に動作させることができる。
【００１３】
また請求項２に記載の発明は、請求項１において、前記電源信号が所定のパルス信号を変調した電源投入信号であり、前記駆動部は、前記所定の電圧を出力する電池と、前記電源投入信号を復調して前記パルス信号を出力するデータ受信部と、前記データ受信部から出力される前記パルス信号を受け取った際に前記電池と前記マイクロコンピュータとを電気的に接続して前記マイクロコンピュータに前記電池が出力する前記所定の電圧を印加する電源投入部とを備えることを特徴としている。
【００１４】
上記構成によれば、電池内蔵式の無線識別システムの識別コード送信機において、無線識別システムから送信された電源信号によりマイクロコンピュータが作動して無線識別コードを送信する一方、マイクロコンピュータが作動しない場合はリセット信号発生部がリセット信号を出力してマイクロコンピュータをリセットし、マイクロコンピュータを確実に動作させることができる。
【００１５】
また請求項３に記載の発明は、請求項１において、前記電源信号が電磁波信号であり、前記駆動部は、前記電磁波信号により前記受信アンテナで発生した誘導起電力を取り込んで前記マイクロコンピュータに前記所定の電圧を印加する電圧出力部と、前記マイクロコンピュータの電源投入時に該マイクロコンピュータをリセットするパワーオンリセット信号を前記電源信号に基づいて出力するパワーオンリセット信号発生部とを備えることを特徴としている。
【００１６】
上記構成によれば、外部から電力が供給される無線識別システムの識別コード送信機において、無線識別システムから送信された電源信号によりマイクロコンピュータが作動して無線識別コードを送信する一方、マイクロコンピュータが作動しない場合はリセット信号発生部がリセット信号を出力してマイクロコンピュータをリセットし、マイクロコンピュータを確実に動作させることができる。
【００１７】
また請求項４に記載の発明は、請求項１または２において、前記リセット信号発生部は、異なる時定数を有する２つのＣＲ時定数回路を備え、該２つのＣＲ時定数回路に前記データ受信部の出力する前記パルス信号を取り込んで出力した２つの出力信号の論理積により前記リセット信号を発生することを特徴としている。
【００１８】
上記構成によれば、ＣＲ時定数回路を用いてリセット信号を発生させており、実現が容易である。また、ＣＲ時定数回路に入力する信号は、電源投入信号や電力信号等を利用することが可能となり、入力信号を幅広く選択することができる。
【００１９】
また請求項５に記載の発明は、請求項１または２において、前記リセット信号発生部は、前記電源投入信号の搬送波の脈波をカウントするカウンタ回路を備え、該カウンタ回路に前記電源投入信号を取り込んでカウントした前記脈波の数が所定の数となった場合に前記リセット信号を発生することを特徴としている。
【００２０】
上記構成によれば、カウンタ回路を用いてリセット信号を発生させており、実現が容易である。また、リセット信号の発生タイミングやパルス幅はカウンタ回路のカウントの設定を変更することで容易に調整が可能である。
【００２１】
また請求項６に記載の発明は、請求項１または３において、前記リセット信号発生部は、異なる時定数を有する２つのＣＲ時定数回路を備え、該２つのＣＲ時定数回路に前記パワーオンリセット信号発生部の出力する前記パワーオンリセット信号を取り込んで出力した２つの出力信号の論理積により前記リセット信号を発生することを特徴としている。
【００２２】
上記構成によれば、ＣＲ時定数回路を用いてリセット信号を発生させており、実現が容易である。また、ＣＲ時定数回路に入力する信号は、電源投入信号や電力信号等を利用することが可能となり、入力信号を幅広く選択することができる。
【００２３】
また請求項７に記載の発明は、請求項１から６のいずれか１項において、前記リセット信号発生部は、前記マイクロコンピュータが前記トリガ信号の出力を終了するまでは前記リセット信号を繰り返し出力する一方、前記マイクロコンピュータが前記トリガ信号の出力を終了した後は前記リセット信号の出力を停止することを特徴としている。
【００２４】
上記構成によれば、無線識別システムから送信された電源信号によりマイクロコンピュータが作動しない場合は、マイクロコンピュータが作動するまでリセット信号発生部がリセット信号を繰り返し出力してマイクロコンピュータをリセットし、マイクロコンピュータをより確実に動作させることができる。
【００２５】
また請求項８に記載の発明は、請求項１または２において、前記リセット信号発生部は、異なる時定数を有する２つのＣＲ時定数回路を備え、該２つのＣＲ時定数回路に前記データ受信部の出力する前記パルス信号を取り込んで出力した２つの出力信号の論理積により前記リセット信号を発生し、前記マイクロコンピュータが前記トリガ信号の出力を終了するまでは、前記リセット信号出力後に前記２つのＣＲ時定数回路をクリアし前記リセット信号を繰り返し発生する一方、前記マイクロコンピュータが前記トリガ信号の出力を終了した後は前記リセット信号出力後に前記２つのＣＲ時定数回路をクリアせず前記リセット信号の発生を停止することを特徴としている。
【００２６】
上記構成によれば、ＣＲ時定数回路を用いてリセット信号を発生させることができ、実現が容易である。また、ＣＲ時定数回路に入力する信号は、電源投入信号や電力信号等を利用することが可能となり、入力信号を幅広く選択することができる。また、無線識別システムから送信された電源信号によりマイクロコンピュータが作動しない場合は、マイクロコンピュータが作動するまでリセット信号発生部がリセット信号を繰り返し出力してマイクロコンピュータをリセットし、マイクロコンピュータをより確実に動作させることができる。
【００２７】
また請求項９に記載の発明は、請求項１または２において、前記リセット信号発生部は、前記電源投入信号の搬送波の脈波をカウントするカウンタ回路を備え、該カウンタ回路に前記電源信号を取り込んでカウントした前記脈波の数が所定の数となった場合に前記リセット信号を発生し、前記マイクロコンピュータが前記トリガ信号の出力を終了するまでは、前記リセット信号出力後に前記カウンタ回路をクリアし前記リセット信号を繰り返し発生する一方、前記マイクロコンピュータが前記トリガ信号の出力を終了した後は前記リセット信号出力後に前記カウンタ回路をクリアせず前記リセット信号の発生を停止することを特徴としている。
【００２８】
上記構成によれば、カウンタ回路を用いてリセット信号を発生させることができ、実現が容易である。また、リセット信号の発生タイミングやパルス幅はカウンタ回路のカウントの設定を変更することで容易に調整が可能である。また、無線識別システムから送信された電源信号によりマイクロコンピュータが作動しない場合は、マイクロコンピュータが作動するまでリセット信号発生部がリセット信号を繰り返し出力してマイクロコンピュータをリセットし、マイクロコンピュータをより確実に動作させることができる。
【００２９】
また請求項１０に記載の発明は、請求項１または３において、前記リセット信号発生部は、異なる時定数を有する２つのＣＲ時定数回路を備え、該２つのＣＲ時定数回路に前記パワーオンリセット信号発生部の出力する前記パワーオンリセット信号を取り込んで出力した２つの出力信号の論理積により前記リセット信号を発生し、前記マイクロコンピュータが前記トリガ信号の出力を終了するまでは、前記リセット信号出力後に前記２つのＣＲ時定数回路をクリアし前記リセット信号を繰り返し発生する一方、前記マイクロコンピュータが前記トリガ信号の出力を終了した後は前記リセット信号出力後に前記２つのＣＲ時定数回路をクリアせず前記リセット信号の発生を停止することを特徴としている。
【００３０】
上記構成によれば、ＣＲ時定数回路を用いてリセット信号を発生させることができ、実現が容易である。また、ＣＲ時定数回路に入力する信号は、電源投入信号や電力信号等を利用することが可能となり、入力信号を幅広く選択することができる。また、無線識別システムから送信された電源信号によりマイクロコンピュータが作動しない場合は、マイクロコンピュータが作動するまでリセット信号発生部がリセット信号を繰り返し出力してマイクロコンピュータをリセットし、マイクロコンピュータをより確実に動作させることができる。
【００３１】
また請求項１１に記載の発明は、請求項１から１０に記載の無線識別システムの識別コード送信機を備え、該識別コード送信機に前記電源信号を送信するとともに該電源信号により作動を開始した前記識別コード送信機から前記識別コードを受信し、受信した前記識別コードに基づいて所定の動作を行う制御装置を備えることを特徴としている。
【００３２】
上記構成によれば、無線識別システムにおいて識別コード送信機の動作が確実に行われ、無線識別システムの所定の動作が確実に行われる。
【００３３】
また請求項１２に記載の発明は、請求項１１において、前記所定の動作が、レーススポーツ競技における計時動作であることを特徴としている。
【００３４】
上記構成によれば、レーススポーツ競技において、計時動作が確実に行われる。
【００３５】
また請求項１３に記載の発明は、請求項１１において、前記所定の動作が、入退管理システムにおける建物の自動扉の開閉動作であることを特徴としている。
【００３６】
上記構成によれば、入退管理システムにおいて、自動扉の開閉動作が確実に行われる。
【００３７】
また請求項１４に記載の発明は、請求項１１において、前記所定の動作が、駅の自動改札機における自動扉の開閉動作であることを特徴としている。
【００３８】
上記構成によれば、駅の自動改札機において、自動扉の開閉動作が確実に行われる。
【発明の効果】
【００３９】
本発明によれば、無線識別システムの識別コード送信機が無線識別システムとの通信可能領域内にあって正常に作動しない場合は、識別コード送信機内のマイコンのリセットが自動的に行われて無線識別システムとの通信が確実に行われる無線識別システムの識別コード送信機および該識別コード送信機を備えた無線識別システムを提供することができる。
【発明を実施するための最良の形態】
【００４０】
以下、本発明の実施例を図面に従って説明する。
【実施例１】
【００４１】
図１に本発明の第１の実施例のブロック図を示す。
【００４２】
本実施例は、無線識別システムの識別コード送信機である非接触ＩＣカード内部に電池を内蔵し、無線識別システムから送信される電源投入信号によりマイクロコンピュータ（以下マイコンと呼ぶ）の電源が投入される非接触ＩＣカードにおいて、マイコンが正常に動作しない場合にマイコンのリセットが自動的に行われる非接触ＩＣカードの例である。このような電池を内蔵した非接触ＩＣカードでは、待機電流を抑えて電池寿命を長くするために、無線識別システムから送信される電源投入信号を受信する部分は常時待機状態とする一方、識別コードを送信するマイコン部分は無線識別システムから送信される電源投入信号を受け取った際に電源投入が行われる。
【００４３】
非接触ＩＣカード１００は、受信アンテナ１１１および送信アンテナ１１２を備えるアンテナ１１０、電池１２０、データ制御部１３０、マイコン起動制御部１４０、クロック信号発生部１５０、マイコン１６０を備えている。
【００４４】
受信アンテナ１１１では、無線識別システム（図示省略）から送信される電源投入信号が受信される。ここで、電源投入信号は所定のパルス信号を変調した信号である。
【００４５】
電池１２０は、データ制御部１３０およびマイコン起動制御部１４０に常時電力を供給している。また無線識別システムから送信される電源投入信号を受け取った場合に、クロック信号発生部１５０及びマイコン１６０に電力を供給する。
【００４６】
データ制御部１３０は、データ受信部１３１、データ復調部１３２、データ送信部１３３を備えている。受信アンテナ１１１で受信された電源投入信号はデータ受信部１３１で復調されてパルス信号が取り出され、電源投入部１４１（後述）およびリセット（図１ではＲＳＴと記載）信号発生部１４２（後述）に出力される。また受信アンテナ１１１で受信されたデータ信号はデータ受信部１３１で復調されてデータ信号が取り出され、データ復調部１３２でデータ信号のビット列が復調されてマイコン１６０に出力される。
【００４７】
マイコン起動制御部１４０は、電源投入部１４１、リセット信号発生部１４２を備えている。
【００４８】
電源投入部１４１は、データ受信部１３１が出力するパルス信号を受け取った際に、電池１２０とクロック信号発生部１５０の電源端子およびマイコン１６０の電源端子を接続してクロック信号発生部１５０およびマイコン１６０の電源を投入する。
【００４９】
リセット信号発生部１４２は、データ受信部１３１が出力するパルス信号を受け取り、マイコン１６０をリセットするリセット信号を発生する。電源投入後にマイコン１６０が所定のトリガ信号（後述）を出力しない場合に、マイコン１６０にこのリセット信号を出力する。
【００５０】
マイコン１６０は、ＣＰＵ１６１、データの読み出し専用メモリであるＲＯＭ１６２、データの書き換えが可能な不揮発性メモリであるＥＥＰＲＯＭ１６３、揮発性メモリであるＲＡＭ１６４を備えている。ＲＯＭ１６２にはマイコン１６０を動作させるプログラムが記憶されている。またＥＥＰＲＯＭ１６３には、無線識別システムの識別コードが記憶されている。またＲＡＭ１６４には無線識別システムとの送受信を行う際に必要なデータ等が一時的に記憶される。
【００５１】
ＣＰＵ１６１は、電源投入部１４１により電源が投入されると動作を開始する。また、動作開始後所定時間経過後に所定のパルス幅を有するトリガ信号をリセット信号発生部１４２に出力する。また、リセット信号発生部１４２が出力するリセット信号を受け取ってリセットが行われると動作を開始する。また、ＥＥＰＲＯＭ１６３に記憶された識別コードをデータ送信部１３３に出力する。
【００５２】
クロック信号発生部１５０はデータ受信部１３１から出力される無線識別システムの送信信号の搬送波を取り込み、搬送波と同期するクロック信号を発生してＣＰＵ１６１へクロック信号を供給する。
【００５３】
データ送信部１３３は、マイコン１６０から出力された識別コードを無線信号に変調して送信アンテナ１１２に出力する。
【００５４】
送信アンテナ１１２は無線識別システムに無線信号に変換された識別コードを送信する。
【００５５】
図２に、リセット信号発生部１４２の回路図を、図３および図４に、リセット信号発生部１４２の構成部品のタイミングチャートを示す。以下、図２〜図４を用いて、リセット信号発生部１４２の動作についての説明を行う。
【００５６】
電源投入信号により起動されたマイコン１６０は時刻Ｔ０で動作を開始し、動作開始後所定時間ｔｓが経過した時刻Ｔ１時点から所定時間ｔｄが経過する時刻Ｔ４までの間、リセット信号発生部１４２のＮＡＮＤゲート３４にトリガ信号を出力する。
【００５７】
一方、抵抗Ｒ１に入力された電源投入信号のパルス信号によって、時刻Ｔ０からコンデンサＣ１への充電が開始され、コンデンサＣ１の電位が所定の電位Ｖ１となった時点（図３の時刻Ｔ２）でバッファ３１の出力がＬレベルからＨレベルに反転する。また、抵抗Ｒ２に入力された電源投入信号のパルス信号によって、時刻Ｔ０からコンデンサＣ２への充電が開始され、コンデンサＣ２の電位が所定の電位Ｖ２となった時点（図３の時刻Ｔ３）でインバータ３２の出力がＨレベルからＬレベルに反転する。ここで、コンデンサＣ２の電位がＶ２となるまでに要する時間はコンデンサＣ１の電位がＶ１となるまでに要する時間より長くなるように、抵抗Ｒ１、Ｒ２、コンデンサＣ１、Ｃ２の値が設定されている。
【００５８】
バッファ３１の出力とインバータ３２の出力はＡＮＤゲート３３に入力される。したがって、ＡＮＤゲート３３の出力は時刻Ｔ２でＬレベルからＨレベルとなり、時刻Ｔ３でＨレベルからＬレベルに変化する。この時刻Ｔ２〜Ｔ３間のＡＮＤゲート３３の出力がマイコンのリセット信号の源信号となる。
【００５９】
ＡＮＤゲート３３の出力と前述したマイコン１６０のトリガ信号はＮＡＮＤゲート３４に入力される。ここで、ＡＮＤゲート３３の出力とマイコン１６０のトリガ信号は同時にＨレベルとなる時刻がないため、ＮＡＮＤゲート３４の出力、すなわちリセット信号は常にＨレベルに固定される。
【００６０】
以上の動作により、電源投入信号によって起動されたマイコンが正常に動作し、動作開始後所定時間ｔｓ経過後に所定時間間隔tdでトリガ信号を出力した場合は、リセット信号発生部１４２によるマイコン１６０のリセットは行われない。
【００６１】
一方、図４に示すように、電源投入信号によりマイコン１６０が正常に動作せずに、マイコン１６０からのトリガ信号の出力がなく、マイコン１６０の出力がＨレベル一定となっている場合は、ＡＮＤゲート３３の出力とマイコン１６０のトリガ信号が入力されるＮＡＮＤゲート３４の出力、すなわちリセット信号は、ＡＮＤゲート３３の出力を反転したもの、すなわち時刻Ｔ２でＨレベルからＬレベルとなり、時刻Ｔ３でＬレベルからＨレベルに変化する。この信号により、時刻Ｔ３でマイコン１６０のリセットが行われる。
【００６２】
以上の動作により、電源投入信号によって起動されたマイコン１６０が正常に動作せず、動作開始後所定時間ｔｓ経過後にトリガ信号を出力しない場合は、時刻Ｔ３でマイコン１６０のリセットが自動的に行われる。
【００６３】
以上のように、内部に電池を備え、無線識別システムからの電源投入信号によりマイコンの電源投入が行われる非接触ＩＣカードにおいて、無線識別システムからの電源投入信号によりマイコンが正常に動作しない場合は、自動的にマイコンのリセットが行われる。この動作により、非接触ＩＣカードを確実に作動させることができる。
【実施例２】
【００６４】
図５に本発明の第２の実施例のブロック図を示す。
【００６５】
本実施例は、非接触ＩＣカードは電池を内蔵しておらず、無線識別システムが発生する磁界内において電磁誘導によって生じる誘導起電力により非接触ＩＣカードの内部回路の電力供給が行われる非接触ＩＣカードの例である。
【００６６】
非接触ＩＣカード２００は、受信アンテナ２１１および送信アンテナ２１２を備えるアンテナ２１０、電圧出力部２２０、データ制御部２３０、マイコン起動制御部２４０、クロック信号発生部２５０、マイコン２６０を備えている。
【００６７】
受信アンテナ２１１では、無線識別システム（図示省略）が発生する磁界内に非接触ＩＣカードが入った際に電磁誘導によって誘導起電力が生じる。また、無線識別システムから送信されるデータが受信される。
【００６８】
電圧出力部２２０では、電磁誘導により生じた誘導起電力の整流が行われ、所定の電圧の電力が出力される。出力された電力は、データ制御部２３０、マイコン起動制御部２４０、クロック信号発生部２５０、マイコン２６０に供給される。
【００６９】
データ制御部２３０は、データ受信部２３１、データ復調部２３２、データ送信部２３３を備えている。受信アンテナ２１１で受信されたデータ信号はデータ受信部２３１で復調されてデータ信号が取り出され、データ復調部２３２でデータ信号のビット列が復調されてマイコン２６０に出力される。
【００７０】
マイコン起動制御部２４０は、パワーオンリセット（図５ではＰＯＲと記載）信号発生部２４１、リセット（図５ではＲＳＴと記載）信号発生部２４２を備えている。
【００７１】
パワーオンリセット信号発生部２４１は、電圧出力部２２０が出力する電圧を受け取り、マイコン２６０をリセットするためのパワーオンリセット信号を出力する。
【００７２】
リセット信号発生部２４２は、パワーオンリセット信号発生部２４１が出力するパワーオンリセット信号を受け取り、マイコン２６０をリセットするリセット信号を発生する。電源投入後にマイコン２６０が所定のトリガ信号（後述）を出力しない場合に、マイコン２６０にこのリセット信号を出力する。
【００７３】
マイコン２６０は、ＣＰＵ２６１、データの読み出し専用メモリであるＲＯＭ２６２、データの書き換えが可能な不揮発性メモリであるＥＥＰＲＯＭ２６３、揮発性メモリであるＲＡＭ２６４を備えている。ＲＯＭ２６２にはマイコン２６０を動作させるプログラムが記憶されている。またＥＥＰＲＯＭ２６３には、無線識別システムの識別コードが記憶されている。またＲＡＭ２６４には無線識別システムとの送受信を行う際に必要なデータ等が一時的に記憶される。
【００７４】
ＣＰＵ２６１は、パワーオンリセット信号発生部２４１が出力するパワーオンリセット信号を受け取るとリセットが行われて動作を開始する。また、リセット信号発生部２４２が出力するリセット信号を受け取るとリセットが行われて動作を開始する。また、ＥＥＰＲＯＭ２６３に記憶された識別コードをデータ送信部２３３に出力する。
【００７５】
クロック信号発生部２５０はデータ受信部２３１から出力される無線識別システムの送信信号の搬送波を取り込み、搬送波と同期するクロック信号を発生してＣＰＵ２６１へクロック信号を供給する。
【００７６】
データ送信部２３３は、マイコン２６０から出力された識別コードを無線信号に変調して送信アンテナ２１２に出力する。
【００７７】
送信アンテナ２１２は無線識別システムに無線信号に変換された識別コードを送信する。
【００７８】
図６に、リセット信号発生部２４２の回路図を、図７および図８に、リセット信号発生部２４２の構成部品のタイミングチャートを示す。以下、図６〜図８を用いて、リセット信号発生部２４２の動作についての説明を行う。
【００７９】
電圧出力部２２０により電力を供給された際にパワーオンリセット信号発生部２４１により出力されたパワーオンリセット信号（図６、図７ではＰＯＲ信号と記載）は、ＡＮＤゲート４５、抵抗Ｒ３、抵抗Ｒ４に入力される（図７の時刻Ｔ０）。
【００８０】
このとき、マイコン２６０のトリガ信号出力はＨレベルに保たれており、またＡＮＤゲート４３の出力はＬレベルに保たれているため、ＮＡＮＤゲート４４の出力はＨレベルとなる。したがって、パワーオンリセット信号とＮＡＮＤゲート４４の出力が入力されるＡＮＤゲート４５の出力は、パワーオンリセット信号と同様時刻Ｔ０でＬ→Ｈとなる。
【００８１】
パワーオンリセット信号によりリセットされたマイコン２６０は時刻Ｔ０で動作を開始し、動作開始後所定時間ｔｓが経過した時刻Ｔ１時点から所定時間ｔｄが経過する時刻Ｔ４までの間、リセット信号発生部２４２のＮＡＮＤゲート４４にトリガ信号を出力する。
【００８２】
一方、抵抗Ｒ３に入力されたパワーオンリセット信号によって、時刻Ｔ０からコンデンサＣ３への充電が開始され、コンデンサＣ３の電位が所定の電位Ｖ３となった時点（図７の時刻Ｔ２）でバッファ４１の出力がＬレベルからＨレベルに反転する。また、抵抗Ｒ４に入力されたパワーオンリセット信号によって、時刻Ｔ０からコンデンサＣ４への充電が開始され、コンデンサＣ４の電位が所定の電位Ｖ４となった時点（図７の時刻Ｔ３）でインバータ４２の出力がＨレベルからＬレベルに反転する。ここで、コンデンサＣ４の電位がＶ４となるまでに要する時間はコンデンサＣ３の電位がＶ３となるまでに要する時間より長くなるように、抵抗Ｒ３、Ｒ４、コンデンサＣ３、Ｃ４の値が設定されている。
【００８３】
バッファ４１の出力とインバータ４２の出力はＡＮＤゲート４３に入力される。したがって、ＡＮＤゲート４３の出力は時刻Ｔ２でＬレベルからＨレベルとなり、時刻Ｔ３でＨレベルからＬレベルに変化する。この時刻Ｔ２〜Ｔ３間のＡＮＤゲート４３の出力がマイコンのリセット信号の源信号となる。
【００８４】
ＡＮＤゲート４３の出力と前述したマイコン２６０のトリガ信号はＮＡＮＤゲート４４に入力される。ここで、ＡＮＤゲート４３の出力とマイコン２６０のトリガ信号は同時にＨレベルとなる時刻がないため、ＮＡＮＤゲート４４の出力は常にＨレベルに固定される。
【００８５】
したがって、パワーオンリセット信号とＮＡＮＤゲート４４の出力が入力されるＡＮＤゲート４５の出力、すなわちリセット信号は、パワーオンリセット信号と同一、すなわち時刻Ｔ０でＬレベルからＨレベルに変化し、その後Ｈレベル一定となる。
【００８６】
以上の動作により、パワーオンリセット信号によってリセットされたマイコン２６０が正常に動作し、動作開始後所定時間ｔｓ経過後に所定時間間隔tdでトリガ信号を出力した場合は、リセット信号発生部２４２によるマイコン２６０のリセットは行われない。
【００８７】
一方、図８に示すように、パワーオンリセット信号によりマイコン２６０が正常に動作せずに、マイコン２６０からのトリガ信号の出力がなく、マイコン２６０の出力がＨレベル一定となっている場合は、ＡＮＤゲート４３の出力とマイコン２６０の出力が入力されるＮＡＮＤゲート４４の出力は、ＡＮＤゲート４３の出力を反転したもの、すなわち時刻Ｔ２でＨレベルからＬレベルとなり、時刻Ｔ３でＬレベルからＨレベルに変化する。
【００８８】
したがって、パワーオンリセット信号とＮＡＮＤゲート４４の出力が入力されるＡＮＤゲート４５の出力、すなわちリセット信号は、時刻Ｔ０でＬレベルからＨレベルとなり、時刻Ｔ２でＨレベルからＬレベルに変化した後、時刻Ｔ３で再びＬレベルからＨレベルとなる。この信号により、時刻Ｔ３でマイコン２６０のリセットが行われる。
【００８９】
以上の動作により、パワーオンリセット信号によってリセットされたマイコン２６０が正常に動作せず、動作開始後所定時間ｔｓ経過後にトリガ信号を出力しない場合は、リセット信号発生部２４２により時刻Ｔ３で再度マイコン２６０のリセットが行われる。
【００９０】
以上のように、無線識別システムから電力を供給される非接触ＩＣカードにおいて、電力が供給された際にマイコンが正常に動作しない場合は、自動的にマイコンのリセットが行われる。この動作により、非接触ＩＣカードを確実に作動させることができる。
【実施例３】
【００９１】
本実施例は、第１の実施例において、リセット信号発生部が出力したリセット信号によりマイコンが正常に動作しない場合に、リセット信号発生部が繰り返しリセット信号を出力してマイコンのリセットを継続する回路を備えた非接触ＩＣカードの例である。
【００９２】
図９に本実施例のブロック図を示す。
【００９３】
本ブロック図は第１の実施例とリセット（図９ではＲＳＴと記載）信号発生部３４２内部の回路のみが異なり、その他の構成は第１の実施例と同等のため、ブロック図の説明は省略する。
【００９４】
図１０に、リセット信号発生部３４２の回路図を、図１１に、リセット信号発生部３４２の構成部品のタイミングチャートを示す。以下、図１０、図１１を用いて、リセット信号発生部３４２の動作についての説明を行う。
【００９５】
まず、電源投入部３４１による電源投入後マイコンが正常に動作せずにトリガ信号を出力しない場合の動作についての説明を行う。
【００９６】
データ受信部３３１から出力される電源投入信号のパルス信号は、抵抗Ｒ５、抵抗Ｒ６に入力される（図１１の時刻Ｔ０）。
【００９７】
このとき、マイコン３６０は正常に動作せずにトリガ信号出力がＨレベルに保たれており、またＡＮＤゲート５３の出力はＬレベルに保たれているため、ＮＡＮＤゲート５４の出力はＨレベルとなる。したがって、インバータ５５の出力はＬレベルに保たれている。
【００９８】
一方、抵抗Ｒ５に入力された電源投入信号のパルス信号によって、時刻Ｔ０からコンデンサＣ５への充電が開始され、コンデンサＣ５の電位が所定の電位Ｖ５となった時点（図１１の時刻Ｔ２）でバッファ５１の出力がＬレベルからＨレベルに反転する。また、抵抗Ｒ６に入力された電源投入信号のパルス信号によって、時刻Ｔ０からコンデンサＣ６への充電が開始される。ここで、コンデンサＣ６の電位が所定の電位Ｖ６となって出力レベルが反転するまでに要する時間は、コンデンサＣ５の電位がＶ５となるまでに要する時間より長くなるように、抵抗Ｒ５、Ｒ６、コンデンサＣ５、Ｃ６の値が設定されている。
【００９９】
時刻Ｔ２でバッファ５１の出力がＬレベルからＨレベルに変化すると、インバータ５２の出力変化はまだないため、ＡＮＤゲート５３の出力は時刻Ｔ２でＬレベルからＨレベルに変化する。これに伴い、ＮＡＮＤゲート５４の出力は時刻Ｔ２でＨレベルからＬレベルに変化し、バッファ５６の出力は時刻Ｔ２でＬレベルからＨレベルに変化して抵抗Ｒ７へ入力される。
【０１００】
ここで、抵抗Ｒ７に入力された信号により時刻Ｔ２からコンデンサＣ７への充電が開始され、コンデンサＣ７の電位が所定の電位Ｖ７Ａとなった時点（図１１の時刻ＴＡ）でバッファ５７の出力がＬレベルからＨレベルに反転する。この信号により、トランジスタＴＲ１、ＴＲ２がオンとなる。
【０１０１】
ここで、トランジスタＴＲ１のコレクタ端子はコンデンサＣ５と接続されているため、トランジスタＴＲ１がオンとなるとコンデンサＣ５に充電されていた電荷がＧＮＤに放電される。このため、コンデンサＣ５の電位は時刻ＴＡでＧＮＤレベルとなり、バッファ５１の出力は時刻ＴＡでＨレベルからＬレベルに反転する。
【０１０２】
また、トランジスタＴＲ２のコレクタ端子はコンデンサＣ６と接続されているため、トランジスタＴＲ２がオンとなるとコンデンサＣ６に充電されていた電荷がＧＮＤに放電される。ここで、時刻ＴＡ直前において、コンデンサＣ６の電位はインバータ５２の出力を反転させるには至っていない状態であるため、時刻ＴＡでコンデンサＣ６の電位がＧＮＤレベルとなってもインバータ５２の出力は変化しない。
【０１０３】
時刻ＴＡでバッファ５１の出力がＬレベルになると、ＮＡＮＤゲート５４の出力、すなわちリセット信号はＬレベルからＨレベルに反転する。この信号により、マイコン３６０のリセットが行われる。
【０１０４】
以上の動作により、電源投入信号によって起動されたマイコンが正常に動作せず、動作開始後所定時間ｔｓ経過後にトリガ信号を出力しない場合は、時刻ＴＡでマイコン３６０のリセットが行われる。
【０１０５】
ここで、時刻ＴＡでＮＡＮＤゲート５４の出力がＬレベルからＨレベルに変化すると、バッファ５６の出力レベルはＨレベルからＬレベルに変化する。ここで、コンデンサＣ７は抵抗Ｒ７を介してバッファ５６の出力側と接続されているため、コンデンサＣ７に充電された電荷が時刻ＴＡから徐々にＧＮＤに放電される。これに伴い、バッファ５７の入力電位が低下し、入力電位が所定の電位Ｖ７Ｂとなる時刻Ｔ３で出力がＨレベルからＬレベルに変化する。このため、時刻Ｔ３でトランジスタＴＲ１、ＴＲ２はオフとなる。なお、一般にトランジスタのオンオフはいわゆるヒステリシス特性を有しており、オンからオフになる電位はオフからオンになる電位よりも小さい値となる。したがって、Ｖ７Ａ＞Ｖ７Ｂの関係がある。
【０１０６】
以上の動作により、時刻Ｔ３においてリセット信号発生部３４２の信号状態は、時刻Ｔ０と同等の状態に戻り、マイコン３６０が正常に作動してトリガ信号が出力されるまで、上記動作が繰り返し行われる。
【０１０７】
次に、リセット信号発生部３４２が出力するリセット信号によりマイコン３６０が正常に作動してトリガ信号を出力する場合の動作についての説明を行う。
【０１０８】
時刻Ｔ３において、データ受信部３３１から出力された電源投入信号のパルス信号は、引き続き抵抗Ｒ５、抵抗Ｒ６に入力されている。
【０１０９】
このとき、マイコン３６０の出力はＨレベルに保たれており、またＡＮＤゲート５３の出力はＬレベルに保たれているため、ＮＡＮＤゲート５４の出力はＨレベルとなる。
【０１１０】
リセット信号発生部３４２により時刻ＴＡでリセットされたマイコン３６０は時刻ＴＡで動作を開始し、動作開始後所定時間ｔｓが経過した時刻Ｔ４時点から所定時間ｔｄが経過する時刻Ｔ７までの間、リセット信号発生部３４２のＮＡＮＤゲート５４にトリガ信号を出力する。
【０１１１】
一方、抵抗Ｒ５に入力された電源投入信号によって、時刻Ｔ３からコンデンサＣ５への充電が再度開始され、コンデンサＣ５の電位がＶ５となった時点（図１１の時刻Ｔ５）でバッファ５１の出力がＬレベルからＨレベルに反転する。また、抵抗Ｒ６に入力された電源投入信号によって、時刻Ｔ３からコンデンサＣ６への充電が再度開始され、コンデンサＣ６の電位がＶ６となった時点（図１１の時刻Ｔ６）でインバータ５２の出力がＨレベルからＬレベルに反転する。ここで、前述したようにコンデンサＣ６の電位がＶ６となるまでに要する時間はコンデンサＣ５の電位がＶ５となるまでに要する時間より長くなるように、抵抗Ｒ５、Ｒ６、コンデンサＣ５、Ｃ６の値が設定されている。
【０１１２】
バッファ５１の出力とインバータ５２の出力はＡＮＤゲート５３に入力される。したがって、ＡＮＤゲート５３の出力は時刻Ｔ５でＬレベルからＨレベルとなり、時刻Ｔ６でＨレベルからＬレベルに変化する。
【０１１３】
ＡＮＤゲート５３の出力と前述したマイコン３６０のトリガ信号はＮＡＮＤゲート５４に入力される。ここで、ＡＮＤゲート５３の出力とマイコン３６０のトリガ信号は同時にＨレベルとなる時刻がないため、ＮＡＮＤゲート５４の出力、すなわちリセット信号は常にＨレベルに固定される。これによってバッファ５６の出力は常にＬレベルとなり、バッファ５７の入力は常にＬレベルとなって、トランジスタＴＲ１、ＴＲ２はオフの状態が維持される。
【０１１４】
以上の動作により、リセット信号によって起動されたマイコンが正常に動作し、動作開始後所定時間ｔｓ経過後に所定時間間隔tdでトリガ信号を出力した場合は、リセット信号発生部３４２によるマイコン３６０のリセットは行われない。
【実施例４】
【０１１５】
本実施例は、第２の実施例において、リセット信号発生部が出力したリセット信号によりマイコンが正常に動作しない場合に、リセット信号発生部が繰り返しリセット信号を出力してマイコンのリセットを継続する回路を備えた非接触ＩＣカードの例である。
【０１１６】
図１２に本実施例のブロック図を示す。
【０１１７】
本ブロック図は第２の実施例とリセット（図１２ではＲＳＴと記載）信号発生部４４２内部の回路のみが異なり、その他の構成は第２の実施例と同等のため、ブロック図の説明は省略する。
【０１１８】
図１３に、リセット信号発生部４４２の回路図を、図１４に、リセット信号発生部４４２の構成部品のタイミングチャートを示す。以下、図１３、図１４を用いて、リセット信号発生部４４２の動作についての説明を行う。
【０１１９】
まず、パワーオンリセット後マイコンが正常に作動せずにトリガ信号を出力しない場合の動作についての説明を行う。
【０１２０】
電圧出力部４２０により電力を供給された際にパワーオンリセット信号発生部４４１により出力されたパワーオンリセット信号（図１３、図１４ではＰＯＲ信号と記載）は、抵抗Ｒ１０、抵抗Ｒ１１に入力される（図１４の時刻Ｔ０）。
【０１２１】
このとき、マイコン４６０は正常に動作せずにトリガ信号出力がＨレベルに保たれており、またＡＮＤゲート６３の出力はＬレベルに保たれているため、ＮＡＮＤゲート６４の出力はＨレベルとなる。したがって、インバータ６５の出力はＬレベルに保たれている。
【０１２２】
一方、抵抗Ｒ１０に入力されたパワーオンリセット信号によって、時刻Ｔ０からコンデンサＣ１０への充電が開始され、コンデンサＣ１０の電位が所定の電位Ｖ１０となった時点（図１４の時刻Ｔ２）でバッファ６１の出力がＬレベルからＨレベルに反転する。また、抵抗Ｒ１１に入力されたパワーオンリセット信号によって、時刻Ｔ０からコンデンサＣ１１への充電が開始される。ここで、コンデンサＣ１１の電位が所定の電位Ｖ１１となって出力レベルが反転するまでの時間は、コンデンサＣ１０の電位がＶ１０となるまでの時間より長くなるように、抵抗Ｒ１０、Ｒ１１、コンデンサＣ１０、Ｃ１１の値が設定されている。
【０１２３】
時刻Ｔ２でバッファ６１の出力がＬレベルからＨレベルに変化すると、インバータ６２の出力変化はまだないため、ＡＮＤゲート６３の出力は時刻Ｔ２でＬレベルからＨレベルに変化する。これに伴い、ＮＡＮＤゲート６４の出力は時刻Ｔ２でＨレベルからＬレベルに変化し、バッファ６６の出力は時刻Ｔ２でＬレベルからＨレベルに変化して抵抗Ｒ１２へ入力される。
【０１２４】
ここで、抵抗Ｒ１２に入力された信号により時刻Ｔ２からコンデンサＣ１２への充電が開始され、コンデンサＣ１２の電位が所定の電位Ｖ１２Ａとなった時点（図１４の時刻ＴＡ）でバッファ６７の出力がＬレベルからＨレベルに反転する。この信号により、トランジスタＴＲ３、ＴＲ４がオンとなる。
【０１２５】
ここで、トランジスタＴＲ３のコレクタ端子はコンデンサＣ１０と接続されているため、トランジスタＴＲ３がオンとなるとコンデンサＣ１０に充電されていた電荷がＧＮＤに放電される。このため、コンデンサＣ１０の電位は時刻ＴＡでＧＮＤレベルとなり、バッファ６１の出力は時刻ＴＡでＨレベルからＬレベルに反転する。
【０１２６】
また、トランジスタＴＲ４のコレクタ端子はコンデンサＣ１１と接続されているため、トランジスタＴＲ４がオンとなるとコンデンサＣ１１に充電されていた電荷がＧＮＤに放電される。ここで、時刻ＴＡ直前において、コンデンサＣ１１の電位はインバータ６２の出力を反転させるには至っていない状態であるため、時刻ＴＡでコンデンサＣ１１の電位がＧＮＤレベルとなってもインバータ６２の出力は変化しない。
【０１２７】
時刻ＴＡでバッファ６１の出力がＬレベルになると、ＮＡＮＤゲート６４の出力、すなわちリセット信号はＬレベルからＨレベルに反転する。この信号により、マイコン４６０のリセットが行われる。
【０１２８】
以上の動作により、パワーオンリセット信号によって起動されたマイコンが正常に動作せず、動作開始後所定時間ｔｓ経過後にトリガ信号を出力しない場合は、時刻Ｔ３でマイコン４６０のリセットが行われる。
【０１２９】
一方、時刻ＴＡでＮＡＮＤゲート６４の出力がＬレベルからＨレベルに変化すると、バッファ６６の出力レベルはＨレベルからＬレベルに変化する。ここで、コンデンサＣ１２は抵抗Ｒ１２を介してバッファ６６の出力側と接続されているため、コンデンサＣ１２に充電された電荷が時刻ＴＡから徐々にＧＮＤに放電される。これに伴い、バッファ６７の入力電位が低下し、入力電位が所定の電位Ｖ１２Ｂとなる時刻Ｔ３で出力がＨレベルからＬレベルに変化する。このため、時刻Ｔ３でトランジスタＴＲ３、ＴＲ４はオフとなる。なお、一般にトランジスタのオンオフはいわゆるヒステリシス特性を有しており、オンからオフになる電位はオフからオンになる電位よりも小さい値となる。したがって、Ｖ１２Ａ＞Ｖ１２Ｂの関係がある。
【０１３０】
以上の動作により、時刻Ｔ３においてリセット信号発生部４４２の信号状態は、時刻Ｔ０と同等の状態に戻り、マイコン４６０が正常に作動してトリガ信号が出力されるまで、上記動作が繰り返し行われる。
【０１３１】
次に、リセット信号発生部４４２が出力するリセット信号によりマイコンが正常に作動してトリガ信号を出力した場合の動作についての説明を行う。
【０１３２】
時刻Ｔ３において、パワーオンリセット信号発生部４４１により出力されたパワーオンリセット信号は、引き続き抵抗Ｒ１０、抵抗Ｒ１１に入力されている。
【０１３３】
このとき、マイコン４６０の出力はＨレベルに保たれており、またＡＮＤゲート６３の出力はＬレベルに保たれているため、ＮＡＮＤゲート６４の出力はＨレベルとなる。
【０１３４】
リセット信号発生部４４２によりリセットされたマイコン４６０は時刻Ｔ３で動作を開始し、動作開始後所定時間ｔｓが経過した時刻Ｔ４時点から所定時間ｔｄが経過する時刻Ｔ７までの間、リセット信号発生部４４２のＮＡＮＤゲート６４にトリガ信号を出力する。
【０１３５】
一方、抵抗Ｒ１０に入力されたパワーオンリセット信号によって、時刻Ｔ３からコンデンサＣ１０への充電が再度開始され、コンデンサＣ１０の電位がＶ１０となった時点（図１４の時刻Ｔ５）でバッファ６１の出力がＬレベルからＨレベルに反転する。また、抵抗Ｒ１１に入力されたパワーオンリセット信号によって、時刻Ｔ３からコンデンサＣ１１への充電が再度開始され、コンデンサＣ１１の電位がＶ１１となった時点（図１４の時刻Ｔ６）でインバータ６２の出力がＨレベルからＬレベルに反転する。ここで、前述したようにコンデンサＣ１１の電位がＶ１１となるまでに要する時間はコンデンサＣ１０の電位がＶ１０となるまでに要する時間より長くなるように、抵抗Ｒ１０、Ｒ１１、コンデンサＣ１０、Ｃ１１の値が設定されている。
【０１３６】
バッファ６１の出力とインバータ６２の出力はＡＮＤゲート６３に入力される。したがって、ＡＮＤゲート６３の出力は時刻Ｔ５でＬレベルからＨレベルとなり、時刻Ｔ６でＨレベルからＬレベルに変化する。
【０１３７】
ＡＮＤゲート６３の出力と前述したマイコン４６０のトリガ信号はＮＡＮＤゲート６４に入力される。ここで、ＡＮＤゲート６３の出力とマイコン４６０のトリガ信号は同時にＨレベルとなる時刻がないため、ＮＡＮＤゲート６４の出力、すなわちリセット信号は常にＨレベルに固定される。これによってバッファ６６の出力は常にＬレベルとなり、バッファ６７の出力は常にＬレベルとなってトランジスタＴＲ３、ＴＲ４はオフの状態が維持される。
【０１３８】
以上の動作により、リセット信号によって起動されたマイコンが正常に動作し、動作開始後所定時間ｔｓ経過後に所定時間間隔tdでトリガ信号を出力した場合は、リセット信号発生部４４２によるマイコン４６０のリセット動作は行われない。
【実施例５】
【０１３９】
本実施例は、非接触ＩＣカード内部に電池を内蔵し、無線識別システムから送信された電源投入信号によりマイコンの電源が投入される非接触ＩＣカードにおいて、マイコンが正常に動作しない場合にマイコンのリセットが自動的に行われる非接触ＩＣカードをマラソンの計時に利用した無線識別システムの例である。
【０１４０】
図１５にシステムの構成図を示す。
【０１４１】
選手が装着するゼッケンの裏側に非接触ＩＣカード５００が取り付けられている。
【０１４２】
あらかじめ設定された計時地点の走路上には走路を横断する緩衝シート５１０が敷かれており、緩衝シート５１０内側に電源投入信号を送信する送信アンテナ５２０と、非接触ＩＣカード５００から送信される識別コードを受信する受信アンテナ５３０が設置されている。また緩衝シート５１０の左右両脇には、非接触ＩＣカード５００から送信される識別コードを受信する予備受信アンテナ５４０Ｒ、５４０Ｌがそれぞれ設置されている。
【０１４３】
送信アンテナ５２０は制御装置５５０に接続されており、制御装置５５０から出力された電源投入信号を送信する。一方、受信アンテナ５３０および予備受信アンテナ５４０Ｒ、５４０Ｌは制御装置５５０に接続されており、電源投入信号により作動を開始した非接触ＩＣカード５００から送信される識別コードを受信する。ここで、非接触ＩＣカード５００と送信アンテナ５２０、受信アンテナ５３０、予備受信アンテナ５４０Ｒ、５４０Ｌとの通信可能領域は、図１５の点線で示す領域となるようにあらかじめアンテナ特性および制御装置５５０が出力する電源投入信号の送信出力が調整されている。
【０１４４】
受信アンテナ５３０および予備受信アンテナ５４０Ｒ、５４０Ｌで受信された識別コードは制御装置５５０に取り込まれ、受信アンテナ５３０および予備受信アンテナ５４０Ｒ、５４０Ｌで受信された信号のうち識別コードを正しく認識できた時刻、すなわち図１５の識別コード受信開始時刻と、識別コードを継続認識できなくなった時刻、すなわち図１５の識別コード受信終了時刻が一時的に記憶されると共に、これらの時刻の中間値が地点通過時刻またはゴール時刻として算出され、コンピュータ５６０へ出力される。
【０１４５】
コンピュータ５６０では、制御装置５５０から出力される複数の選手のデータの集計が行われ、ラップや着順等の算出が行われる。
【０１４６】
ここで、非接触ＩＣカード５００が通信可能領域内に入った際に、送信アンテナ５２０から送信された電源投入信号により非接触ＩＣカード５００のマイコン（図示省略、図１参照）が正常に動作しなかった場合は、実施例１で述べたように非接触ＩＣカード５００内のリセット信号発生部（図示省略、図１参照）がリセット信号を出力し、マイコンのリセットが自動的に行われる。この動作によりマイコンが起動されて、図１５の識別コード再送信開始時刻において識別コードが送信される。
【０１４７】
なおこの場合、識別コード送信開始時刻と識別コード再送信開始時刻との時間差ｔｄは、他選手の識別コード送信開始時刻と識別コード送信終了時刻、および平均速度に基づいて補正が行われ、地点通過時刻またはゴール時刻が算出される。
【０１４８】
以上のように、マイコンが正常に動作しない場合にマイコンのリセットが自動的に行われる非接触ＩＣカード５００をマラソンの計時に利用した無線識別システムでは、各選手が通信可能領域を通過する際に各選手の地点通過時刻またはゴール時刻が自動的に算出される一方、非接触ＩＣカードが通信可能領域内で正常に動作しない場合でも、自動的に非接触ＩＣカード５００内のマイコンのリセットが行われて、計時作業が確実に行われる。
【実施例６】
【０１４９】
本実施例は、無線識別システム端末が発生する磁界により電力が供給される非接触ＩＣカードにおいて、非接触ＩＣカード内のマイコンが正常に動作しない場合にマイコンのリセットが自動的に行われる非接触ＩＣカードを建物の入退管理に利用した無線識別システムの例である。
【０１５０】
図１６にシステムの構成図を示す。
【０１５１】
あらかじめ建物内へ入ることを許された者（以下、従業員とする）は、従業員番号等それぞれ異なる識別コードを割り当てられており、あらかじめ識別コードが記録された非接触ＩＣカード６００を携帯している。この非接触ＩＣカード６００は一般に従業員章を兼ねていることが多い。
【０１５２】
建物の従業員出入り口には、自動扉６１０が設けられている。自動扉６１０上部には自動扉６１０を左右に駆動する自動扉駆動部６２０が設置されており、自動扉駆動部６２０は、制御装置６４０から出力される駆動信号に基づいて駆動される。
【０１５３】
自動扉６１０の手前の横壁面には、無線識別システム端末６３０が取り付けられている。無線識別システム端末６３０は制御装置６４０からの信号に基づいて、その周囲の所定領域（図１６のＭ１）に磁界を発生する。また、非接触ＩＣカード６００から送信された識別コードを受信アンテナ（図示省略）で受信して、制御装置６４０へ出力する。
【０１５４】
制御装置６４０は、無線識別システム端末６３０で受信された識別コードを受け取り、受信された識別コードがあらかじめ登録された識別コードと一致する場合にのみ自動扉駆動部６２０に駆動信号を出力する。
【０１５５】
また、制御措置６４０にはコンピュータ６５０が接続されており、制御装置６４０で行われた識別作業の時刻が記録される。また、新たな識別コードが発行された場合に、制御装置６４０に新たな識別コードを登録する。
【０１５６】
従業員が建物内へ入る際は、非接触ＩＣカード６００を無線識別システム端末６３０に近づけ、非接触ＩＣカード６００が磁界発生領域内に入るようにする。
【０１５７】
磁界発生領域内に入った非接触ＩＣカード６００は、第２の実施例で記載したように電磁誘導によって内部に誘導起電力を生じ、マイコン（図示省略、図５参照）を含む各部の電源投入が行われる。
【０１５８】
電源投入が行われたマイコンは、送信アンテナ（図示省略、図５参照）より識別コードを送信する。
【０１５９】
送信された識別コードは無線識別システム端末６３０で受信され、無線識別システム端末６３０は、受信した識別コードを制御装置６４０に出力する。
【０１６０】
制御装置６４０は無線識別システム端末６３０から出力された識別コードを受け取り、受信された識別コードがあらかじめ登録された識別コードと一致する場合にのみ自動扉駆動部６２０に駆動信号を出力して自動扉６１０を開ける。
【０１６１】
ここで、非接触ＩＣカード６００が磁界発生領域内に入った際に、非接触ＩＣカード６００のマイコンが正常に動作しなかった場合は、第２の実施例で述べたように非接触ＩＣカード６００内のリセット信号発生部（図示省略、図５参照）がリセット信号を出力し、マイコンのリセットを行う。この動作により、マイコンが起動されて、無線識別システム端末６３０に識別コードが送信される。
【０１６２】
したがって、非接触ＩＣカード６００のマイコンが正常に動作しなかった場合でも、非接触ＩＣカード６００を一旦磁界発生領域外に移動させた後、再度磁界発生領域内に入れて電源を投入し直す操作、すなわちマイコンのリセットを行う必要がなく、従業員に余分な動作を要求して利便性を損なうことがない。
【０１６３】
以上のように、マイコンが正常に動作しない場合にマイコンのリセットが自動的に行われる非接触ＩＣカード６００を建物の入退管理に利用した無線識別システムでは、あらかじめ登録された識別コードを備えた非接触ＩＣカード６００を無線識別システム端末６３０に接近させることで自動扉６１０を開けることができる一方、非接触ＩＣカード６００が磁界発生領域内で正常に動作しない場合でも、自動的に非接触ＩＣカード６００内のマイコンのリセットが行われて、入退管理が確実に行われる。
【実施例７】
【０１６４】
本実施例は、無線識別システム端末が発生する磁界により電力が供給される非接触ＩＣカードにおいて、非接触ＩＣカード内のマイコンが正常に動作しない場合にマイコンのリセットが自動的に行われる非接触ＩＣカードを駅の自動改札機用の定期券に利用した無線識別システムの例である。
【０１６５】
図１７にシステムの構成図を示す。
【０１６６】
乗客は、駅の定期券発売所、または自動定期券発券機において、非接触ＩＣカード式の定期券７００を購入する。この定期券には、利用区間と使用期間が電子的に記録されており、この情報が認証コードとして利用される。
【０１６７】
自動改札機７１０は、自動改札機本体７１０Ｒおよび自動改札機本体７１０Ｌを備えている。
【０１６８】
自動改札機本体７１０Ｒ、７１０Ｌには、それぞれ自動扉７２０Ｒ、７２０Ｌと、自動扉７２０Ｒ、７２０Ｌを支軸７２１Ｒ、７２１Ｌを中心にそれぞれ矢印Ｓ１、Ｓ２方向に駆動する自動扉駆動部７４０Ｒ、７４０Ｌが設置されており、自動扉駆動部７４０Ｒ、７４０Ｌは、制御装置７５０から出力される駆動信号に基づいて駆動される。
【０１６９】
自動改札機本体７１０Ｒの侵入口上面には、無線識別システム端末７３０が取り付けられている。無線識別システム端末７３０は制御装置７５０からの信号に基づいて、その周囲の所定領域（図１７のＭ２）に磁界を発生する。また、定期券７００から送信された識別コードを受信アンテナ（図示省略）で受信して、制御装置７５０へ出力する。
【０１７０】
制御装置７５０は、無線識別システム端末７３０で受信された識別コードを受け取り、受信された識別コードが許容される場合にのみ自動扉駆動部７４０Ｒ、７４０Ｌに駆動信号を出力する。
【０１７１】
乗客が自動改札機７１０を通過する際は、定期券７００を無線識別システム端末７３０に近づけ、定期券７００が磁界発生領域内に入るようにする。
【０１７２】
磁界発生領域内に入った定期券７００は、第２の実施例で記載したように電磁誘導によって内部に誘導起電力を生じ、マイコン（図示省略、図５参照）を含む各部の電源投入が行われる。
【０１７３】
電源投入が行われたマイコンは、送信アンテナ（図示省略、図５参照）より識別コード、すなわち利用区間と使用期間を送信する。
【０１７４】
送信された識別コードは無線識別システム端末７３０で受信され、無線識別システム端末７３０は、受信した識別コードを制御装置７５０に出力する。
【０１７５】
制御装置７５０は無線識別システム端末７３０から出力された識別コードを受け取り、受信された識別コードが許容される場合にのみ自動扉駆動部７４０Ｒ、７４０Ｌに駆動信号を出力して自動扉７２０Ｒ、７２０Ｌを開ける。
【０１７６】
ここで、識別コードが許容される場合は、例えばその自動改札機が利用区間内の駅に設置されたもので、かつ定期券７００が使用期間内である場合等の条件に設定される。
【０１７７】
ここで、定期券７００が磁界発生領域内に入った際に、定期券７００のマイコンが正常に動作しなかった場合は、第２の実施例で述べたように定期券７００内のリセット信号発生部（図示省略、図５参照）がリセット信号を出力し、マイコンのリセットを行う。この動作により、マイコンが起動されて、無線識別システム端末７３０に識別コードが送信される。
【０１７８】
したがって、定期券７００のマイコンが正常に動作しなかった場合でも、定期券７００を一旦磁界発生領域外に移動させた後、再度磁界発生領域内に入れて電源を投入し直す操作、すなわちマイコンのリセットを行う必要がなく、乗客に余分な動作を要求して利便性を損なうことがない。
【０１７９】
以上のように、マイコンが正常に動作しない場合にマイコンのリセットが自動的に行われる非接触ＩＣカードを駅の自動改札機用の定期券７００に利用した無線識別システムでは、あらかじめ利用区間と使用期限を識別コードとして備えた定期券７００を無線識別システム端末７３０に接近させることで自動扉７２０Ｒ、７２０Ｌを開けることができる一方、定期券７００が磁界発生領域内で正常に動作しない場合でも、自動的に定期券７００内のマイコンのリセットが行われて、自動改札が確実に行われる。
【０１８０】
なお、図１７では自動改札機７１０を１機のみ図示しているが、複数台の自動改札機が設置されている場合も各自動改札機で同等の動作が行われる。
【０１８１】
以上のように、内部に電池を備え、無線識別システムからの電源投入信号によりマイコンの電源投入が行われる非接触ＩＣカードにおいて、無線識別システムからの電源投入信号によりマイコンが正常に動作しない場合は、自動的にマイコンのリセットが行われる。この動作により、非接触ＩＣカードを確実に作動させることができる。
【０１８２】
また、無線識別システムから電力を供給される非接触ＩＣカードにおいて、電力が供給された際にマイコンが正常に動作しない場合は、自動的にマイコンのリセットが行われる。この動作により、非接触ＩＣカードを確実に作動させることができる。
【０１８３】
また、マイコンのリセットは、マイコンが正常に作動するまで何度でも継続して行わせることができる。この動作により、非接触ＩＣカードをより確実に作動させることができる。
【０１８４】
また、マイコンが正常に作動しなかった際のリセットは瞬時に行われるため、多数の人の入退管理を行う場合や、レーススポーツ競技の計時作業等、動作の迅速さと確実さが要求される場面ではより高い効果を得ることができる。
【０１８５】
また、リセット信号は簡単なＣＲ時定数回路で発生させることができ、実現が容易である。この場合、ＣＲ時定数回路に入力する信号は、電源投入信号や電力信号等を利用することが可能となり、入力信号を幅広く選択することができる。また、温度変化や経年劣化によりＣＲ時定数回路の特性が変化してリセット信号の発生時間とパルス幅が変動しても、マイコンのトリガ信号の発生時間とパルス幅をマイコンのプログラム上で調整することでマイコンへのリセット信号の出力の有無を容易に調整することができ、温度変化や経年変化の影響を排除することができる。
【０１８６】
また、マイコンが正常に動作しない場合にマイコンのリセットが自動的に行われる非接触ＩＣカードをマラソン等のレーススポーツ競技における計時用の無線識別システムに利用することができる。この場合、各選手が通信可能領域を通過する際に各選手の地点通過時刻またはゴール時刻が自動的に算出される一方、非接触ＩＣカードが通信可能領域内で正常に動作しない場合でも、自動的に非接触ＩＣカード内のマイコンのリセットが行われて、計時作業が確実に行われる。
【０１８７】
また、マイコンが正常に動作しない場合にマイコンのリセットが自動的に行われる非接触ＩＣカードを建物の入退管理用の無線識別システムに利用することができる。この場合、あらかじめ登録された識別コードを備えた非接触ＩＣカードを無線識別システム端末に接近させることで自動扉を開けることができる一方、非接触ＩＣカードが磁界発生領域内で正常に動作しない場合でも、自動的に非接触ＩＣカード内のマイコンのリセットが行われて、入退管理が確実に行われる。
【０１８８】
さらに、マイコンが正常に動作しない場合にマイコンのリセットが自動的に行われる非接触ＩＣカードを駅の自動改札機用の定期券に利用することができる。この場合、自動改札機に設置された無線識別システム端末に定期券を接近させることで改札が行われ自動改札機の自動扉が開く一方、定期券である非接触ＩＣカードが磁界発生領域内で正常に動作しない場合でも、自動的に非接触ＩＣカード内のマイコンのリセットが行われて、自動改札が確実に行われる。
【０１８９】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【０１９０】
例えば電池を含まない実施例２および実施例４の内容は、非接触ＩＣカードと同等の機能を備えたいわゆるＩＤタグに対しても適用することが可能である。
【０１９１】
またリセット信号発生部の回路は実施例に示したものに限られるものではなく、同等の動作を行うものであれば良い。
【０１９２】
例えば第１の実施例において、抵抗Ｒ１、Ｒ２、コンデンサＣ１、Ｃ２，ＡＮＤゲート３３で発生するリセット信号は、他の方法で発生するものとしても良い。例えば、電源投入信号の搬送波の脈波をバッファで整形した後に複数のフリップフロップで構成されたカウンタでカウントし、カウント数が所定の数になった際に所定のパルス幅を有するパルスを発生させる論理回路に置き換えることも可能である。第２の実施例から第４の実施例においても同様である。この場合、リセット信号によってリセットを行ってもマイコンが作動しない場合は、リセット信号出力後にフリップフロップをリセットすることでマイコンが作動するまで繰り返しリセット信号を出力することが可能である。
【図面の簡単な説明】
【０１９３】
【図１】本発明の第一の実施例のブロック図である。
【図２】本発明の第一の実施例におけるリセット信号発生部１４２の回路図である。
【図３】本発明の第一の実施例におけるリセット信号発生部１４２のタイミングチャートである。
【図４】本発明の第一の実施例におけるリセット信号発生部１４２の他のタイミングチャートである。
【図５】本発明の第二の実施例のブロック図である。
【図６】本発明の第二の実施例におけるリセット信号発生部２４２の回路図である。
【図７】本発明の第二の実施例におけるリセット信号発生部２４２のタイミングチャートである。
【図８】本発明の第二の実施例におけるリセット信号発生部２４２の他のタイミングチャートである。
【図９】本発明の第三の実施例のブロック図である。
【図１０】本発明の第三の実施例におけるリセット信号発生部３４２の回路図である。
【図１１】本発明の第三の実施例におけるリセット信号発生部３４２のタイミングチャートである。
【図１２】本発明の第四の実施例のブロック図である。
【図１３】本発明の第四の実施例におけるリセット信号発生部４４２の回路図である。
【図１４】本発明の第四の実施例におけるリセット信号発生部４４２のタイミングチャートである。
【図１５】本発明の第五の実施例の構成図である。
【図１６】本発明の第六の実施例の構成図である。
【図１７】本発明の第七の実施例の構成図である。
【符号の説明】
【０１９４】
３１、４１、５１、５６、５７、６１、６６、６７  バッファ
３２、４２、５２、５５、６２、６５  インバータ
３３、４３、４５、５３、６３  ＡＮＤゲート
３４、４４、５４、６４  ＮＡＮＤゲート
１００、２００、３００、４００  非接触ＩＣカード
１１０、２１０、３１０、４１０  アンテナ
１１１、２１１、３１１、４１１  受信アンテナ
１１２、２１２、３１２、４１２  送信アンテナ
１２０、３２０  電池
１３０、２３０、３３０、４３０  データ制御部
１３１、２３１、３３１、４３１  データ受信部
１３２、２３２、３３２、４３２  データ復調部
１３３、２３３、３３３、４３３  データ送信部
１４０、２４０、３４０、４４０  マイコン起動制御部
１４１、３４１  電源投入部
１４２、２４２、３４２、４４２  リセット(ＲＳＴ)信号発生部
１５０、２５０、３５０、４５０  クロック信号発生部
１６０、２６０、３６０、４６０  マイコン
１６１、２６１、３６１、４６１  ＣＰＵ
１６２、２６２、３６２、４６２  ＲＯＭ
１６３、２６３、３６３、４６３  ＥＥＰＲＯＭ
１６４、２６４、３６４、４６４  ＲＡＭ
２２０、４２０  電圧出力部
２４１、４４１  パワーオブリセット(ＰＯＲ)信号発生部
５００  非接触ＩＣカード
５１０  緩衝シート
５２０  送信アンテナ
５３０  受信アンテナ
５４０  予備受信アンテナ
５５０  制御装置
５６０  コンピュータ
６００  非接触ＩＣカード（従業員章）
６１０  自動扉
６２０  自動扉駆動部
６３０  無線識別システム端末
６４０  制御装置
６５０  コンピュータ
７００  非接触ＩＣカード（定期券）
７１０  自動改札機
７１０Ｒ、７１０Ｌ  自動改札機本体
７２０Ｒ、７２０Ｌ  自動扉
７２１Ｒ、７２１Ｌ  支軸
７３０  無線識別システム端末
７４０  自動扉駆動部
７５０  制御装置
Ｒ１〜Ｒ１４  抵抗
Ｃ１〜Ｃ７、Ｃ１０〜Ｃ１２  コンデンサ
ＴＲ１〜ＴＲ４  トランジスタ
【図１】
2007034802.tif 000003
【図２】
2007034802.tif 000004
【図３】
2007034802.tif 000005
【図４】
2007034802.tif 000006
【図５】
2007034802.tif 000007
【図６】
2007034802.tif 000008
【図７】
2007034802.tif 000009
【図８】
2007034802.tif 000010
【図９】
2007034802.tif 000011
【図１０】
2007034802.tif 000012
【図１１】
2007034802.tif 000013
【図１２】
2007034802.tif 000014
【図１３】
2007034802.tif 000015
【図１４】
2007034802.tif 000016
【図１５】
2007034802.tif 000017
【図１６】
2007034802.tif 000018
【図１７】
2007034802.tif 000019